(57)【要約】【課題】パチンコ機やパチスロ機などの遊戯装置の出音方法において、比較的簡単な方法によって、遊戯装置から出音される遊戯音（ＢＧＭ音）を遊戯者が明瞭に聞くことができるようにする。【解決手段】「シマ」２を構成する全てのパチンコ機１のスピーカ９から、カラオケ音楽を同期的に出音させて、これらパチンコ機１にシンクロ演奏を行わせるようにする。また、「当たり」状態からデジタル回転状態等の常態に戻ったパチンコ機１からは、「当たり」状態に至らなかった他のパチンコ機１と同じカラオケ曲が、再び同期的に出音されるようにする。これにて、「当たり」状態から常態に戻ったパチンコ機１を、再び速やかにシンクロ演奏に復帰させることができる。【選択図】図１
2006130054.tif 000002
【特許請求の範囲】
【請求項１】
遊戯場の所定位置に「シマ」状に配される複数台の遊戯装置（１）の出音方法において、
前記「シマ」（２）を構成する全ての遊戯装置（１）のスピーカ（９）から、ＢＧＭ音楽を同期的に出音させて、これら遊戯装置（１）にシンクロ演奏を行わせるようにしてあることを特徴とする遊戯装置の出音方法。
【請求項２】
遊戯場の所定位置に「シマ」状に配される複数台の遊戯装置（１）の出音方法であって、
前記「シマ」（２）を構成する各遊戯装置（１）は、ゲームプログラム、遊戯音データ、画像データなどを格納する記憶手段（１６）と、前記記憶手段（１６）に格納のゲームプログラムに基づいて遊戯装置（１）を制御して、所定の条件下で「当たり」信号を発生する制御手段（１７）と、前記制御手段（１７）からの制御信号に基づいて、前記記憶手段（１６）に格納の遊戯音データを読み出し、遊戯状態に応じた遊戯音をスピーカ（９）から発する出音手段（１０）と、前記制御手段（１７）からの制御信号に基づいて、前記記憶手段（１６）に格納の画像データを読み出し、遊戯状態に応じた画像を表示装置（６）に表示する表示手段（７）と、前記「シマ」（２）を構成する全ての遊戯装置（１）の主電源を同時的にオン・オフ操作するシマ電源スイッチ（２０）がオン操作されたときに、該オン操作からの経過時間を計測する計時手段（２２）とを備えており、
前記遊戯音データは、「当たり」状態において流される当たり音データと、「当たり」状態以外の常態において流される複数個の通常音データからなるものであって、前記「シマ」（２）を構成する各遊戯装置（１）の前記出音手段（１０）は、「当たり」状態以外の常態においては、前記通常音データを予め定められた順番で読み出して、これら通常音データに係る音声をスピーカ（９）から出音するようにしてあり、したがって、常態においては、「シマ」（２）を構成する全ての遊戯装置（１）のスピーカ（９）から、同じ音声が同期的に出音されるようにしてあり、
前記制御手段（１７）からの「当たり」信号を受けると、「当たり」状態に至った遊戯装置（１）の出音手段（１０）は、当たり音データに基づく音声を出音するようにしてあり、加えて「当たり」状態が終了すると、該出音手段（１０）は、かかる「当たり」状態の終了時点において、「当たり」状態に至らなかったと仮定したときに出音される通常音データを、前記計時手段（２２）からの計時信号に基づいて前記記憶手段（１６）から読み出すとともに、該計時信号に基づいて判断される「当たり」状態の終了時における通常音データの再生位置から音声を出音するようにしてあり、したがって、「当たり」状態から常態に復帰した遊戯装置（１）からは、「当たり」状態に至らなかった他の遊戯装置（１）と同じ通常音データに係る音声が、再び同期的に出音されるようにしてあることを特徴とする遊戯装置の出音方法。
【請求項３】
前記通常音データが音楽データであり、前記記憶手段（１６）には、該音楽データにリンクした歌詞データが記録されており、
常態においては、前記表示手段（７）は表示装置（６）の画面に前記歌詞データに係る歌詞の文字（２６）を表示しておき、音楽データを構成する音楽の伴奏の進行に伴って、歌詞の歌うべき文字の色を変化させるようにしている請求項２記載の遊戯装置の出音方法。
【請求項４】
遊戯場の所定位置に「シマ」状に配されて、遊戯に供される遊戯装置であって、
ゲームプログラムや遊戯音データを格納する記憶手段（１６）と、
前記記憶手段（１６）に格納のゲームプログラムに基づいて遊戯装置（１）を制御して、所定の条件下で「当たり」信号を発生する制御手段（１７）と、
前記制御手段（１７）からの制御信号に基づいて、前記記憶手段（１６）に格納の遊戯音データを読み出し、遊戯状態に応じた遊戯音をスピーカ（９）から発する出音手段（１０）と、
前記制御手段（１７）からの制御信号に基づいて、前記記憶手段（１６）に格納の画像データを読み出し、遊戯状態に応じた画像を表示装置（６）に表示する表示手段（７）と、
前記「シマ」（２）を構成する全ての遊戯装置（１）の主電源を同時的にオン・オフ操作するシマ電源スイッチ（２０）がオン操作されたときに、該オン操作からの経過時間を計測する計時手段（２２）とを備えており、
前記遊戯音データは、「当たり」状態において流される当たり音データと、「当たり」状態以外の常態において流される複数個の通常音データからなるものであって、前記「シマ」を構成する各遊戯装置（１）の前記出音手段（１０）は、「当たり」状態以外の常態においては、前記通常音データを予め定められた順番で読み出して、これら通常音データに係る音声をスピーカ（９）から出音するようにしてあり、
前記制御手段（１７）からの「当たり」信号を受けると、「当たり」状態に至った遊戯装置（１）の出音手段（１０）は、当たり音データに基づく音声を出音するようにしてあり、加えて「当たり」状態が終了すると、該出音手段（１０）は、かかる「当たり」状態の終了時点において、「当たり」状態に至らなかったと仮定したときに出音される通常音データを、前記計時手段（２２）からの計測信号に基づいて前記記憶手段から読み出して、該計測信号に基づいて判断される「当たり」状態の終了時における通常音データの再生位置から、再び通常音データに係る音声を出音するようにしてあることを特徴とする遊戯装置。
【請求項５】
前記通常音データが音楽データであり、前記記憶手段（１６）には、該音楽データにリンクした歌詞データが記録されており、
常態においては、前記表示手段（７）は表示装置（６）の画面に前記歌詞データに係る歌詞の文字（２６）を表示しておき、音楽データを構成する音楽の伴奏の進行に伴って、歌詞の歌うべき文字の色を変化させるようにしている請求項４記載の遊戯装置。
【発明の詳細な説明】
【技術分野】
【０００１】
本発明は、遊戯場の所定位置に「シマ」状に配される複数台のパチンコ機やパチスロ機などの遊戯装置の出音方法、および該出音方法を実施するに適した遊戯装置に関する。
【背景技術】
【０００２】
パチンコ機やパチスロ機などの遊戯装置では、遊戯の興趣性の向上を図ることを目的として、ＢＧＭ（背景音）やファンファーレ（大当たり報知音）などの各種遊戯音をスピーカから出音させている。遊戯音に立体感や臨場感を持たせることを目的として、遊戯装置の筐体前面に左右一対のスピーカを配したものや、遊戯音の音質向上を図ることを目的として、低音域用と高音域用の二種のスピーカを配したものもある。
【０００３】
しかし、遊戯場内には、複数台の遊戯装置が隣接した状態で配置されているため、各遊戯装置が発する遊戯音が混じり合いやすく、遊戯者が、自身が遊戯している遊戯装置から発せられる遊戯音を明瞭に聞き取ることは非常に困難である。これを解消するものとして、例えば特許文献１および２には、他の遊戯装置から出音される遊戯音を打ち消す「逆位相の音」を、各遊戯装置のスピーカから出音することが提案されている。
【０００４】
【特許文献１】特開２００３−２５０９８１号公報
【特許文献２】特開２００３−２５０９８２号公報
【発明の開示】
【発明が解決しようとする課題】
【０００５】
上記特許文献に記載の発明形態によれば、他の遊戯装置から出音される遊戯音を、「逆位相の音」と干渉させて打ち消すことができるため、各遊戯装置から出音される遊戯音が、隣接する他の遊戯装置から出音される遊戯音によって損なわれることをよく防ぐことができ、したがって遊戯者は、自身が遊戯している遊戯装置から出音される遊戯音を明瞭に聞き取ることができるようになるものと期待される。
【０００６】
しかし、遊戯装置から出音される遊戯音は、多種多様な音種、音域、および音量等から構成されるものであり、しかも、かかる遊戯音は遊戯の進行度合いや遊戯者による遊戯操作に従ってランダムに出音されるものであるため、全ての「音」に対して「逆位相の音」を瞬時に作成して適切な出力で発することは非常に困難である。このため、上記特許文献に記載の発明方法によって、他の遊戯装置から出音される全ての遊戯音を精度良く打ち消すことは、不可能に近いといわざるを得ない。
【０００７】
本発明の目的は、比較的簡単な方法によって、遊戯装置から出音される遊戯音を明瞭に聞くことができるようにし、以て遊戯装置の興趣性の向上に貢献し得る遊戯装置の出音方法、および当該出音方法を実施するに適した遊戯装置を提供することにある。
【課題を解決するための手段】
【０００８】
本発明者は、「シマ」状に配された複数台の遊戯装置の全ての台から、同じＢＧＭ音楽、具体的にはカラオケ曲を同期的に出音させて、シマを構成する全ての遊戯装置にシンクロ演奏を行わせるようにすれば、当該遊戯装置で遊戯する全ての遊戯者に対して、該カラオケ曲に係る遊戯音を明瞭に聞かせることができ、これにて、上述の遊戯者が遊戯音を明瞭に聞き取ることができないという不具合を良好に解消することが可能となるとともに、従来には無い興趣性に富んだ音響効果を遊戯装置に与えることができることを見出して、本発明を完成するに至った。そのうえで、この種の遊戯装置においては、パチンコゲームやパチスロゲームの進行により、一定条件下で「当たり」状態に至ると、通常の状態とは異なる遊戯音、つまり、未だに「当たり」状態に至っていない他の遊戯装置とは異なる遊戯音を出音させて、興趣性の向上を図っているが、かかる「当たり」状態から通常の状態に復帰した際においても、速やかに再び他の遊戯装置と共にシンクロ演奏を行わせることができるようにすることを、主要な技術的課題として本発明の開発を行った。
【０００９】
すなわち本発明は、図２に示すごとく、遊戯場の所定位置に「シマ」状に配される複数台の遊戯装置１（１−Ａ〜Ｈ）の出音方法において、前記「シマ」２を構成する全ての遊戯装置１（１−Ａ〜Ｈ）のスピーカ９から、ＢＧＭ音楽を同期的に出音させて、これら遊戯装置１にシンクロ演奏を行わせるようにしてあることを特徴とする。ここで言う「ＢＧＭ音楽」とは、演歌等のカラオケ曲のほか、クラシック音楽などの音楽をも含むものであり、そのジャンルは問わない。
【００１０】
より具体的には、本発明は、図２に示すごとく、遊戯場の所定位置に「シマ」状に配される複数台の遊戯装置１（１−Ａ〜Ｈ）の出音方法である。前記「シマ」２を構成する各遊戯装置１（１−Ａ〜Ｈ）は、図１に示すごとく、ゲームプログラム、遊戯音データ、画像データなどを格納する記憶手段１６と、前記記憶手段１６に格納のゲームプログラムに基づいて遊戯装置１を制御して、所定の条件下で当たり信号を発生する制御手段１７と、前記制御手段１７からの制御信号に基づいて、前記記憶手段１６に格納の遊戯音データを読み出し、遊戯状態に応じた遊戯音をスピーカ９から発する出音手段１０と、前記制御手段１７からの制御信号に基づいて、前記記憶手段１６に格納の画像データを読み出し、遊戯状態に応じた画像を表示装置６に表示する表示手段７と、前記「シマ」２を構成する全ての遊戯装置１の主電源を同時的にオン・オフ操作するシマ電源スイッチ２０がオン操作されたときに、該オン操作からの経過時間を計測する計時手段２２とを備えている。
【００１１】
前記遊戯音データは、「当たり」状態において流される当たり音データと、「当たり」状態以外の常態において流される複数個の通常音データからなるものであって、前記「シマ」２を構成する各遊戯装置１（１−Ａ〜Ｈ）の前記出音手段１０は、図４および図７に示すごとく、「当たり」状態以外の常態においては、前記通常音データを予め定められた順番で読み出して、これら通常音データに係る音声をスピーカ９から出音するようにしてあり、したがって、常態においては、「シマ」２を構成する全ての遊戯装置１（１−Ａ〜Ｈ）のスピーカ９から、同じ音声が同期的に出音されるようにしてある。
【００１２】
そして、前記制御手段１７からの「当たり」信号を受けると、図７に示すごとく、「当たり」状態に至った遊戯装置１の出音手段１０は、当たり音データに基づく音声を出音するようにしてある。加えて当たり状態が終了すると、該出音手段１０は、かかる当たり状態の終了時点において、「当たり」状態に至らなかったと仮定したときに出音される通常音データを、前記計時手段２２からの計時信号に基づいて前記記憶手段１６から読み出すとともに、該計時信号に基づいて判断される「当たり」状態の終了時における通常音データの再生位置から音声を出音するようにしてあり、したがって、「当たり」状態から常態に復帰した遊戯装置１からは、「当たり」状態に至らなかった他の遊戯装置１と同じ通常音データに係る音声が、再び同期的に出音されるようにしてあることを特徴とする。
【００１３】
上記出音方法において、前記通常音データが音楽データであり、前記記憶手段１６には、該音楽データにリンクした歌詞データが記録されており、常態においては、図５に示すごとく、前記表示手段７は表示装置６の画面に前記歌詞データに係る歌詞の文字２６を表示しておき、音楽データを構成する音楽の伴奏の進行に伴って、歌詞の歌うべき文字の色を変化させるようにすることができる。
【００１４】
また、本発明は、図２に示すごとく、遊戯場の所定位置に「シマ」状に配されて、遊戯に供される遊戯装置１である。この遊戯装置１は、図１に示すごとく、ゲームプログラムや遊戯音データを格納する記憶手段１６と、前記記憶手段１６に格納のゲームプログラムに基づいて遊戯装置１を制御して、所定の条件下で「当たり」信号を発生する制御手段１７と、前記制御手段１７からの制御信号に基づいて、前記記憶手段１６に格納の遊戯音データを読み出し、遊戯状態に応じた遊戯音をスピーカ９から発する出音手段１０と、前記制御手段１７からの制御信号に基づいて、前記記憶手段１６に格納の画像データを読み出し、遊戯状態に応じた画像を表示装置６に表示する表示手段７と、前記「シマ」２を構成する全ての遊戯装置１の主電源を同時的にオン・オフ操作するシマ電源スイッチ２０がオン操作されたときに、該オン操作からの経過時間を計測する計時手段２２とを備えている。
【００１５】
前記遊戯音データは、「当たり」状態において流される当たり音データと、「当たり」状態以外の常態において流される複数個の通常音データからなるものであって、図４および図７に示すごとく、前記「シマ」を構成する各遊戯装置１の前記出音手段１０は、「当たり」状態以外の常態においては、前記通常音データを予め定められた順番で読み出して、これら通常音データに係る音声をスピーカ９から出音するようにしてある。
【００１６】
そして、前記制御手段１７からの「当たり」信号を受けると、図７に示すごとく、「当たり」状態に至った遊戯装置１の出音手段１０は、当たり音データに基づく音声を出音するようにしてある。加えて「当たり」状態が終了すると、該出音手段１０は、かかる「当たり」状態の終了時点において、「当たり」状態に至らなかったと仮定したときに出音される通常音データを、前記計時手段２２からの計測信号に基づいて前記記憶手段から読み出して、該計測信号に基づいて判断される「当たり」状態の終了時における通常音データの再生位置から、再び通常音データに係る音声を出音するようにしてあることを特徴とする。
【００１７】
上記遊戯装置において、前記通常音データが音楽データであり、前記記憶手段１６には、該音楽データにリンクした歌詞データが記録されており、常態においては、図５に示すごとく、前記表示手段７は表示装置６の画面に前記歌詞データに係る歌詞の文字２６を表示しておき、音楽データを構成する音楽の伴奏の進行に伴って、歌詞の歌うべき文字の色を変化させるようにすることができる。
【００１８】
本発明において、「シマ電源スイッチ２０がオン操作されたときに、該オン操作からの経過時間を計測する」とは、厳密にシマ電源スイッチ２０がオン操作された瞬間から、経過時間の計測を開始するものに限られず、ある程度のインターバルを置いて計測を開始するものを含むことも意味し、上記表現は、そのような計測方法をも含む概念である。つまり、この種の電気機器では、プログラムの起動時間等のように、電源投入から実際に機器が起動するまでの間に、ある程度のインターバルが生じることは避けられず、したがって所定時間の経過後にタイマー２２による計測動作が開始されるものも本発明には含まれる。要は「シマ」２を構成する全ての遊戯装置１の各々に組み込まれたタイマー２２による電源投入後の計時結果が、等しくなるように設定・構成されていれば足りる。
【００１９】
図示例（図２参照）では、１−Ａ〜Ｈの８台の遊戯装置が横一列に配して、これら８台の遊戯装置１−Ａ〜Ｈで一つの「シマ」２を構成する形態を示しているが、本発明における「シマ」２の概念は、これに限られず、要は本発明を構成する複数台の遊戯装置１が、「シマ」と称される固定枠の一箇所に、群状に配された形態であれば足りる。尤も、複数の「シマ」に遊戯装置１を配することもできるが、その場合には、これら遊戯装置１が配された「シマ」のシマ電源スイッチ２０を同時にオン操作することが望まれる。
【００２０】
本発明における「常態」状態の概念には、図３に示すごとく、デモ状態、デジタル回転状態、確率変動状態におけるデジタル回転状態を含むものとし、「当たり」状態とは、パチンコ機におけるアタッカーの開放状態のごとく、賞球動作を行う状態を意味する（パチスロ機では、メダルの払い出し動作を行う状態を意味する）。但し本発明における「当たり」状態の概念はこれに限られず、確率変動状態におけるデジタル回転状態を「当たり」状態に含めることができ、さらに、フィーバー機において、通常図柄による「当たり」状態後に行われる、所謂チャンスゲーム時におけるデジタル回転状態を「当たり」状態に含めることもできる。さらに、リーチがかかったとき、特にスーパーリーチと称される状態を、「当たり」状態に含めて、通常音とは異なる音を出音させることもできる。
【発明の効果】
【００２１】
本発明に係る遊戯装置の出音方法のように、「シマ」２を構成する全ての遊戯装置１（１−Ａ〜Ｈ）のスピーカ９から、ＢＧＭ音楽を同期的に出音させて、これら遊戯装置１（１−Ａ〜Ｈ）にシンクロ演奏を行わせるようにしてあると、遊戯装置１（１−Ａ〜Ｈ）で遊戯する全ての遊戯者に対して、ＢＧＭ音楽に係る遊戯音を明瞭に聞かせることが可能となる。すなわち、従来のように、各遊戯装置１がバラバラの遊戯音を出音していた従来形態のように、互いの遊戯音が干渉し合うことに起因して、遊戯者が聞き取り得る遊戯音が不明瞭になる不具合を確実に解消できる。ＢＧＭ音楽のシンクロ演奏という、従来には無い興趣性に富んだ音響効果を遊戯装置１に与えることができる点でも優れている。
【００２２】
また、デジタル技術の発展に伴って、和音数の多いより高品質な遊戯音を遊戯装置１から出音させる試みが種々なされているが、従来形態に係る遊戯装置１では互いの遊戯音が干渉し合うために、せっかく高品質な遊戯音を作成しても、これを遊戯者に明瞭に聞かせることができなかった。これに対して本発明のように、「シマ」２を構成する遊戯装置１（１−Ａ〜Ｈ）にシンクロ演奏を行わせるようにしてあると、遊戯者に高品質な遊戯音を聞かせることができるため、この点でも遊戯装置１の興趣性の向上を図ることができる。簡単な構成で以て、確実に遊戯装置１の遊戯者に遊戯音を聞かせることができ、従来例のような「逆位相の音」を出音する形態に比べて、安価に遊戯装置１を提供できる点でも優れている。
【００２３】
シマ電源スイッチ２０がオン操作されたときに、該オン操作からの経過時間を計測するタイマー２２を備えるものとして、「当たり」状態が終了すると、かかる「当たり」状態の終了時点において、「当たり」状態に至らなかったと仮定したときに出音される通常音データを、タイマー２２からの計時信号に基づいてＲОＭ１６から読み出すとともに、該計時信号に基づいて判断される「当たり」状態の終了時における通常音データの再生位置から出音動作を行わせるような制御形態としてあると、「当たり」状態から常態に復帰した遊戯装置機１から、「当たり」状態に至らなかった他の遊戯装置と同じ通常音を、再び同期的に出音させることが可能となる。
【００２４】
つまり、実施形態に則して説明すると、図７に示すごとく、「当たり」状態が終了すると、かかる「当たり」状態の終了時点において、「当たり」状態に至らなかったと仮定したときに出音されるＢＧＭ音楽であるカラオケ曲（図示例では１０曲目）を、タイマー２２からの計時信号に基づいてＲОＭ１６から読み出すとともに、該タイマー２２からの計時信号に基づいて判断される「当たり」状態の終了時におけるカラオケ曲の再生位置から出音動作を行わせるような制御形態を採ることができる。これにて、「当たり」状態から常態に復帰した遊戯装置機１（図示例では１−Ｂ）からは、「当たり」状態に至らなかった他の遊戯装置（１−Ａ、１−Ｃ）と同じカラオケ曲が、再び同期的に出音され、したがって、「当たり」状態から常態に復帰した遊戯装置（１−Ｂ）を、再び速やかにシンクロ演奏に復帰させることができる。かかる制御方法によれば、常態における完全な同期出音（カラオケ曲のシンクロ演奏）を確実に確保しながら、「当たり」状態時に至った際には優れた興趣性を遊戯装置１に与えることができため、当該遊戯装置１は、この種のパチンコ機やパチスロ機として実用性に優れたものとなる。
【発明を実施するための最良の形態】
【００２５】
以下、本発明について、図面を参照して詳述に説明する。本実施形態では、本発明に係る遊戯装置の出音方法、および遊戯装置をパチンコ機に適用した場合を例にして説明する。図２は、遊戯場の所定位置に「シマ」状に配されたパチンコ機（遊戯装置）１を示す。具体的には、遊戯場において広く一般的に行われているように、同機種の複数台（図示例では８台）のパチンコ機１（１−Ａ〜Ｈ）を、固定枠に横一列に配してあり、これら８台のパチンコ機（１−Ａ〜Ｈ）で、一つの「シマ」２を構成している。ここでのパチンコ機１は、一定条件下で「当たり」状態となる所謂フィーバー機と称される、第１種のパチンコ遊戯装置である。なお、図２において、符号３は各パチンコ機１の前面に、対向状に配置された椅子を示している。
【００２６】
図３は、フィーバー機であるパチンコ機１の基本動作・基本状態を示すものである。フィーバー機の基本状態は、電源投入後の所定時間経過後や、遊戯球が始動口に入賞せず、したがってデジタル２３（図５参照）を回さずにプレイ終了状態で数分間放っておいたときに、デモ画像を液晶画面（表示装置）６（図１および図２参照）に表示するデモ状態（待機状態とも言える）と、始動口に遊戯玉が入賞したときに、液晶画面６に表示のデジタル２３を回転させるデジタル回転状態と、デジタル２３の図柄２５が揃った「当たり」状態と、「当たり」終了後において、次の「当たり」状態に至る確率がアップする所謂確率変動状態などに大別できる。ここで言うデジタル回転状態には、デジタル２３を構成する複数個（図５参照：図示例では３個）の図柄２５のうちの、あと一つの図柄２５が揃えば「当たり」状態となるリーチアクション状態を含むものとする。確率変動状態においても、デジタル回転とリーチアクションを行い、多くは短時間で「当たり」状態に至る。「当たり」状態においては、パチンコ機１の遊戯基板の下部に設けられた、アタッカーと称される大入賞口が開く。アタッカーが開放しているとき、およびかかるアタッカーの開放動作に前後して、「当たり」画像が液晶画面６に表示される。さらに「当たり」状態に至ると、ファンファーレがスピーカ９から出音され、続いて「当たり」画像に対応した音楽や音声が出音される。これら「当たり」状態において出音されるファンファーレ等が、本発明で言うところの「当たり」音である。
【００２７】
図３に示すごとく、本実施形態においては、上記基本状態を、「当たり」状態と、「当たり」状態以外の「常態」とに大別するものとする。つまり、本実施形態において意味する「常態」とは、デモ状態、デジタル回転状態、および確率変動状態からなるものとし、「当たり」状態を含まない概念である。
【００２８】
図１に示すごとく、シマ２を構成する各パチンコ機１は、該パチンコ機１の全体を制御するメイン基板５と、メイン基板５からの制御信号を受けて、パチンコ機１の前面に設けられた液晶画面（表示装置）６を制御するビデオカード（表示手段）７と、スピーカ９から出音される音声を制御するサウンドカード（出音手段）１０と、賞球を払い出すための賞球装置１１を制御する賞球制御回路１２、パチンコ機１の前面に配設された各種のランプ１３を制御するランプ制御装置１５などを備える。メイン基板５と、賞球制御回路１２との間には、ＣＰＵ、ＲОＭ、ＲＡＭなどを備える賞球制御装置１４が組み付けられている。メイン基板５は、ゲームプログラム、遊戯音データ、画像データなどを格納するＲОＭ（記憶手段）１６と、該ＲОＭ１６に格納のゲームプログラムに基づいてパチンコ機を制御し、所定の条件下で当たり信号を発生する中央制御装置（制御手段）１７と、プログラムの実行領域となるＲＡＭ１９などを備える。画像データは、ビデオカード７に搭載されたＲОＭに格納してもよい。同様に、遊戯音データは、サウンドカード１０に搭載されたＲОＭに格納していてもよい。
【００２９】
各パチンコ機１への電力供給は、シマ電源スイッチ２０をオン・オフ操作することによって制御できるようにしてある。つまり、シマ電源スイッチ２０をオン操作すると、シマ２を構成する全てのパチンコ機１（１−Ａ〜Ｈ）に対して同時的に電力が供給され、また、逆の手順でシマ電源スイッチ２０をオフ操作すると、全てのパチンコ機１（１Ａ〜Ｈ）の電力供給を同時的にストップできるようにしてある。図１において、符号２１は、各パチンコ機１に向けて電力を供給する電力線を示しており、かかる電力線は、図に示すごとく、全てのパチンコ機１を直列的に接続するように配線してもよいし、並列的に接続するように配線してもよい。
【００３０】
この種のパチンコホールと称される遊戯場では、一日の営業終了後にパチンコ機１やパチスロ機等の遊技装置の電源を切ることが義務付けられており、翌日の営業再開に先立って、再び遊戯装置の電源が入れられる。また、遊戯装置の電源のオン操作は、上記のようなシマ電源スイッチ２０を用いて、シマ単位で実行されるものである。図１において符号２２は、上記のシマ電源スイッチ２０がオン操作されたときに、該オン操作からの経過時間を計測するタイマー（計時手段）を示す。タイマー２２は、各パチンコ機１のメイン基板５に搭載されている。各パチンコ機１のタイマー２２は、完全に独立して作動するものであるが、全てのタイマー２２は同じ時間（電源投入からの経過時間）を計測することができる。
【００３１】
そのうえで、本実施形態に係るパチンコ機では、デジタル回転状態などの「常態」において、シマ２を構成する全てのパチンコ機１（１−Ａ〜Ｈ）のスピーカ９から、同じＢＧＭ音楽を同期的に出音させて、全てのパチンコ機１（１Ａ〜Ｈ）にシンクロ演奏を行わせるようにしている。つまり、上記ＲОＭ１６に格納される遊戯音データは、当たり状態において流される「当たり音データ」と、当たり状態以外の常態において、ＢＧＭ的に流される複数個の音楽データ（通常音データ）からなるものとし、各パチンコ機１（１−Ａ〜Ｈ）の中央制御装置１７は、「当たり」状態以外の常態においては、これら音楽データを予め定められた順番で読み出し、当該音楽データに係る音声をサウンドカード１０を介して、スピーカ９から出音するようにしている。より具体的には、常態において出音されるＢＧＭである音楽データは、演歌などのカラオケ伴奏に関するもの（以下、カラオケ曲と記す）としてあり、これにてシマ２を構成する全てのパチンコ機１（１−Ａ〜Ｈ）の各スピーカ９から同じカラオケ曲が出音されて、全パチンコ機１（１−Ａ〜Ｈ）にシンクロ演奏を行わせるようにしている。
【００３２】
図４は、常態におけるパチンコ機１のシンクロ演奏方法を説明するためのフローチャートであり、まず、シマ電源スイッチ２０がオン操作されて電源が投入されると（Ｓ１）、中央制御装置１７は、ゲームプログラムや画像データ等をＲОＭ１６から読み出す（Ｓ２）。次に中央制御装置１７は、一曲目の音楽データをＲОＭ１６から読み出し、当該音楽データに係るカラオケ曲を演奏する（Ｓ３）。一曲目の演奏の終了直前に、二曲目の音楽データをＲОＭ１６から読み出し、一曲目に続いてこれを演奏する（Ｓ４）。かかる演奏動作を続けて最終曲（Ｎ曲）の演奏が終了すると（Ｓ５）、一曲目のカラオケ曲の演奏を行う（Ｓ３）。なお、シマ２を構成する全てのパチンコ機１（１−Ａ〜Ｈ）のＲОＭ１６には、同じ音楽データが同じ曲順で記録されており、全てのパチンコ機（１−Ａ〜Ｈ）が、同じ曲順でカラオケ演奏を行うように設定してあることは言うまでもない。
【００３３】
加えて、上記のカラオケ曲の演奏に際しては、液晶画面６に歌詞の文字が表示されるようにしている（図５参照）。具体的には、ＲОＭ１６に音楽データにリンクした歌詞データを格納しておき、先の音楽データのカラオケ演奏に先立って、中央制御装置１７が音楽データに対応した歌詞データをＲОＭ１６から読み出して、演奏されている曲部分の歌詞の文字２６を液晶画面６に表示するようにした。加えて、音楽の伴奏の進行に伴って、歌詞の歌うべき文字の色を変化させるようにした。これにて、カラオケ機能をパチンコ機１に完全に移植することができた。
【００３４】
以上のごとく、パチンコ機１にシンクロ演奏機能を与えた場合には、「当たり」状態に至ったのちに常態に戻ったパチンコ機１を、如何にしてシンクロ演奏に復帰させるかが問題となる。つまり、この種のパチンコ機１においては、パチンコゲームの進行により、一定条件下で「当たり」状態に至ると、通常の状態とは異なる遊戯音、つまり、未だに「当たり」状態に至っていない他のパチンコ機１とは異なる「当たり」音を出音させるようにしている。加えて、後に詳述するように、「当たり」状態は所定数のラウンドが終了するまで実行されるものであり、各ラウンドは一般的に１０個の遊戯球がアタッカーに入賞するまで続けられるものであるため、パチンコ機１が「当たり」状態にある時間は、遊戯者によるハンドル操作の強弱や釘の状態等によって左右されるものであり、毎回異なるものであって一定でない。このため、以上のようにランダムに継続する「当たり」状態から常態に復帰したパチンコ機１に対して、如何にして、速やかに再び他のパチンコ機１と共に、カラオケ曲のシンクロ演奏を行わせるかが重大な技術的課題となる。かかる技術的課題を解決するため、本実施形態では、先のタイマー２２からの計時情報に基づいて、「当たり」状態から「常態」に復帰したパチンコ機１が演奏すべきカラオケ曲が決定されるものとした。さらに、タイマー２２からの計時情報に基づいて、「当たり」状態から「常態」に復帰したパチンコ機１が、演奏を開始すべき部位（曲の途中部分）が決定されるものとした。
【００３５】
図６に、パチンコ機１のパチンコゲームの動作を説明するためのフローチャートを、図７に、パチンコ機の出音動作を一例を挙げて説明するためのタイムチャートを示す。なお、図７においては、説明の便宜上、１−Ａ、１−Ｂ、１−Ｃの３台のパチンコ機１でシンクロ演奏を行う場合について説明する。
【００３６】
まず、上記の図４と同様に、シマ電源スイッチ２０がオン操作されると（Ｓ１）、中央制御装置１７は、ゲームプログラムや画像データ等をＲОＭ１６から読み出す（Ｓ２）。同時に、タイマー２２を駆動させて電源投入からの時間計測を行う（Ｓ２）。次に、一曲目の音楽データをＲОＭ１６から読み出し、当該音楽データに係るカラオケ曲を演奏する（Ｓ３：図４および図７）。このとき図５に示すごとく、液晶画面６には、演奏されている曲部分の歌詞の文字を表示するとともに、音楽の伴奏の進行に伴って、歌詞の歌うべき文字の色を変化させる。この状態では、パチンコ機１−Ａ〜Ｃの各スピーカ９から同じカラオケ曲が同期的に出音されており、したがって、パチンコ機１−Ａ〜Ｃは、カラオケ曲のシンクロ演奏を行っている。
【００３７】
以上のような一曲目のカラオケ曲の演奏を始めたときは、全てのパチンコ機１のパチンコゲーム自体は、未だに始まっておらず、待機・デモ状態にある（Ｓ６）。
【００３８】
かかる待機・デモ状態から、遊戯者が１−Ａのパチンコ機のハンドル操作を回動操作して、パチンコゲームを始めたとする。そして、遊戯球が始動口に入賞して、始動球が有ることが検出されると（Ｓ７でＹＥＳ）、中央制御装置１７は抽選を実行するとともに、液晶画面６のデジタル２３を回転させる（Ｓ８）。抽選の結果、「当たり」状態に至らなかった場合には（Ｓ９でＮО）、Ｓ７に戻り、さらに始動球が有る場合には（Ｓ７でＹＥＳ）、抽選を繰り返す（Ｓ８）。換言すれば、１−Ａのパチンコ機は、デモ状態からデジタル回転状態になる（図７参照）。なお、かかるデジタル回転状態においても、１−Ａのパチンコ機は、デモ状態にある１−Ｂ、１−Ｃのパチンコ機と同様に、カラオケ曲の演奏を続けており、したがって、パチンコ機１−Ａ〜Ｃによるカラオケ曲のシンクロ演奏が行われている。
【００３９】
図７に示すごとく、一曲目の音楽データの演奏が終了すると、１−Ａ〜Ｃのパチンコ機は、２曲目の音楽データに係るカラオケ曲を演奏する。かかる２曲目のカラオケ曲も、１−Ａ〜Ｃのパチンコ機により、シンクロ演奏されることは言うまでもない。
【００４０】
図７に示すごとく、２曲目のカラオケ曲の演奏開始直後に、他の遊戯者が１−Ｂのパチンコ機を使ったパチンコゲームを開始したとする。そして、始動球が始動口に入賞したことが検知されると、１−Ｂのパチンコ機は、デモ状態からデジタル回転状態に至り、図６のＳ７〜Ｓ９の抽選動作を繰り返す。このデモ状態からデジタル状態への状態変化においても、カラオケ曲の演奏動作には何ら変化はなく、１−Ｂのパチンコ機は、１−Ａ、１−Ｃのパチンコ機とともに、カラオケ曲のシンクロ演奏を行っている。
【００４１】
さらに、図７に示すごとく、デジタル回転状態にあるパチンコ機１−Ａ、パチンコ機１−Ｂおよび、未だにデモ状態にあるパチンコ機１−Ｃは、３曲目、続いて４曲目と、カラオケ曲のシンクロ演奏を順次行っていく。
【００４２】
当該状態から８曲目のカラオケ曲のシンクロ演奏中に、デジタル回転状態にある１−Ｂに係るパチンコ機が「当たり」状態に至ったとする。すなわち、Ｓ８（図６参照）における抽選を実行した結果、所定条件を満たすものとなり（Ｓ９でＹＥＳ）、「当たり」状態に至ったとする（Ｓ１０）。これにて、１−Ｂに係るパチンコ機の中央制御装置１７は、サウンドカード１０を制御して、ＲОＭ１６から読み出したファンファーレ音をスピーカ９から出音するとともに、「当たり」状態に至ったことを示す「当たり」画像を液晶画面６に表示する。さらにアタッカーを開放して賞球を行う（Ｓ１１）。この種のフィーバータイプのパチンコ機１では、１０個の遊戯球がアタッカーに入賞する動作を１ラウンドとして、１５ラウンドの賞球動作を行うものが多い（１４ラウンドや１６ラウンドの賞球動作を行うものもある）。かかる１〜１５のラウンドからなる「当たり」状態においては、多種多様な「当たり」画像に係る「当たり」画像データをＲОＭ１６から読み出して液晶画面６に表示する。さらに、多種多様な「当たり」音をスピーカ９から出音する。すなわち、以上のごとく「当たり」状態に至ったパチンコ機１−Ｂからは、先のカラオケ曲とは異なる「当たり」音が出音されることとなる。しかるに、当該状態においては、１−Ａおよび１−Ｃのパチンコ機が、カラオケ曲のシンクロ演奏を行っており、１−Ｂに係るパチンコ機は、シンクロ演奏から外れることとなる。
【００４３】
１５ラウンドの賞球動作が終了すると（Ｓ１２）、１−Ｂに係るパチンコ機は、Ｓ７に戻り、Ｓ７〜Ｓ９の抽選動作を続行する。すなわち、「当たり」状態からデジタル回転状態に戻り、抽選動作を続行する。「７７７」に代表される所謂確率変動図柄で「当たり」状態に至って確率変動状態にあるときも、Ｓ７に戻って、図柄が揃うまで、高確率でＳ７〜Ｓ９の抽選動作を続行する。
【００４４】
本実施形態においては、以上のように「当たり」状態からデジタル回転状態に戻ったパチンコ機１−Ｂが、速やかにシンクロ演奏に復帰するようにしている。すなわち、図７に示すごとく、「当たり」状態に至った１−Ｂに係るパチンコ機が、「当たり」状態が終了して、デジタル回転状態に戻ったとき、他の１−Ａや１−Ｃのパチンコ機が続行しているカラオケ曲のシンクロ演奏に速やかに復帰するようにしてある。
【００４５】
具体的には、図７に示すごとく、「当たり」状態が終了すると、中央制御装置１７は、かかる「当たり」状態の終了時点において、「当たり」状態に至らなかったと仮定したときに演奏されるべきであったカラオケ曲（図７では１０曲目）に係る音楽データを、タイマー２２からの計時信号に基づいてＲОＭ１６から読み出すとともに、該タイマーからの計時信号に基づいて判断される「当たり」状態の終了時における音楽データの再生位置（図７では１０曲目の途中）からカラオケ曲を出音するようにしてある。これにて、デジタル回転状態に戻った１−Ｂに係るパチンコ機のスピーカ９からは、１０曲目の途中からカラオケ曲が演奏されることとなる。当該演奏開始部位は、他の「当たり」状態に至っていない１−Ａおよび１−Ｃのパチンコ機がシンクロ演奏している部位と全く同じであるから、１−Ｂに係るパチンコ機のシンクロ演奏への復帰は支障なく行われる。なお、このとき、シンクロ演奏に復帰した１−Ｂのパチンコ機の液晶画面６には、シンクロ演奏するカラオケ曲の歌詞の文字２６（図５参照）が表示されること、加えて、歌詞の歌うべき文字の色を変化させるようにしてあることは言うまでもない。
【００４６】
以上のように「シマ」２を構成する全てのパチンコ機１（１−Ａ〜Ｈ）のスピーカ９から、カラオケ音楽を同期的に出音させて、これらパチンコ機１（１−Ａ〜Ｈ）にシンクロ演奏を行わせるようにしてあると、パチンコ機１（１−Ａ〜Ｈ）で遊戯する全ての遊戯者に対して、カラオケ曲に係る遊戯音を明瞭に聞かせることができる。すなわち、従来のように、各パチンコ機１がバラバラの遊戯音を出音していた従来形態のように、互いの遊戯音が干渉し合うことに起因して、遊戯者が聞き取り得る遊戯音が不明瞭になる不具合を確実に解消できる。カラオケ曲のシンクロ演奏という、従来には無い興趣性に富んだ音響効果をパチンコ機１に与えることができる点でも優れている。遊戯者に高品質な遊戯音を聞かせることができる点でも優れている。
【００４７】
「シマ」２を構成する全てのパチンコ機１−Ａ〜Ｈの主電源を同時的にオン・オフ操作するシマ電源スイッチ２０がオン操作されたときに、該オン操作からの経過時間を計測するタイマー２２を備えるものとしたので、「当たり」状態が終了すると、かかる「当たり」状態の終了時点において、「当たり」状態に至らなかったと仮定したときに出音されるカラオケ曲を、タイマー２２からの計時信号に基づいてＲОＭ１６から読み出すとともに、該計時信号に基づいて判断される「当たり」状態の終了時におけるカラオケ曲の再生位置から出音動作を行わせるような制御形態を採ることができる。当該制御方法によれば、「当たり」状態から常態に復帰したパチンコ機１からは、「当たり」状態に至らなかった他のパチンコ機１と同じカラオケ曲が、再び速やかに同期的に出音されることとなるため、常態における完全なシンクロ演奏を確実に確保しながら、「当たり」状態時に至った際には優れた興趣性をパチンコ機１に与えることができため、当該パチンコ機１は、実用性に優れたものとなる。
【００４８】
上記実施形態では、パチンコ機１を遊戯装置とする例について説明したが、かかる遊戯装置はパチスロ機であってもよく、この場合には、「シマ」を構成するパチスロ機がシンクロ演奏を行うとともに、該パチスロ機の液晶画面に歌詞の文字２６が表示されることとなる。
【００４９】
上記実施形態では、常態において出音されるカラオケ曲を中心に説明したが、遊戯装置からは、リーチ音に代表される、従来より公知の各種の遊戯音がスピーカ９から出音されるようにしてあることは言うまでもない。この場合でも、リーチ音などのカラオケ曲以外の音声は、シンクロ演奏を著しく損なわない程度の出力で、スピーカ９から出音することが好ましい。
【００５０】
遊戯場であるパチンコホールが提供するアナウンス音が、パチンコ機１から出音されるようにしてもよい。すなわち、景品交換所の休憩時間のような情報が、パチンコ機１のスピーカ９から同期的に出力されるようにしてもよい。さらに、予め当該情報に係る音声データや画像データをＲОＭ１６に格納しておき、それらをタイマー２２の計時信号に従って、定期的にスピーカ９から流したり、液晶画面６に表示するようにしてもよい。これによれば、遊戯者に対して当該情報を確実に伝えることが可能となる。
【図面の簡単な説明】
【００５１】
【図１】本発明に係る遊戯装置の構成を示すブロック図
【図２】遊戯装置の遊戯場における設置状況を示す図
【図３】遊戯装置の基本動作・基本状態を説明するための図
【図４】遊戯装置の基本的な出音動作を示すフローチャート
【図５】液晶画面の表示形態を説明するための図
【図６】遊戯装置のゲーム動作を説明するためのフローチャート
【図７】遊戯装置の出音動作を説明するためのタイムチャート
【符号の説明】
【００５２】
１、１−Ａ〜Ｈ  遊戯装置（パチンコ機）
２  シマ
６  表示装置（液晶画面）
７  表示手段（ビデオカード）
９  スピーカ
１０  出音手段（サウンドカード）
１６  記憶手段（ＲОＭ）
１７  制御手段（中央制御装置）
２０  シマ電源スイッチ
２２  計時手段（タイマー）
２６  歌詞の文字
【図１】
2006130054.tif 000003
【図２】
2006130054.tif 000004
【図３】
2006130054.tif 000005
【図４】
2006130054.tif 000006
【図５】
2006130054.tif 000007
【図６】
2006130054.tif 000008
【図７】
2006130054.tif 000009